(57)【特許請求の範囲】
【請求項１】
室外空気と冷媒が熱交換する熱交換器と
前記熱交換器と対向する位置に設けられ、複数枚のブレードが回転軸を中心に回転する送風ファンと、
前記回転軸方向から見て前記送風ファンの外周より外側に設けられた制御基板と、
前記制御基板に取り付けられたベース部、前記ベース部から前記送風ファンへ近づく方向に前記ベース部から傾斜して延びる延長部、前記延長部に設けられたフィンを有するヒートシンクと、
を備えたヒートポンプ装置の室外機。
【請求項２】
前記フィンは、前記延長部から前記送風ファンへ向けて放射状に設けられていることを特徴とする請求項１に記載のヒートポンプ装置の室外機。
【請求項３】
前記延長部の延長線が送風ファンの略中心近傍を通ることを特徴とする請求項１または２に記載のヒートポンプ装置の室外機。
【請求項４】
前記フィンの先端が前記ブレードの回転方向と逆の方向へ曲がっていることを特徴とする請求項１乃至３のいずれかに記載のヒートポンプ装置の室外機。
【請求項５】
前記ベース部には複数枚の放熱フィンが設けられており、
前記ベース部の端部に設けられた前記放熱フィンは、その隣に設けられた前記放熱フィンよりも長さが短いことを特徴とする請求項１乃至４のいずれかに記載のヒートポンプ装置の室外機。
【請求項６】
前記ヒートシンクは押し出し成形で製造されたことを特徴とする請求項１乃至５のいずれかに記載の空気調和装置の室外機。
【発明の詳細な説明】
【技術分野】
【０００１】
この発明は、ヒートポンプ装置の室外機に係わり、特に電子基板から発生する熱を放熱するヒートシンクに関するものである。
【背景技術】
【０００２】
従来のヒートポンプ装置の室外機には、送風ファン及び圧縮機を制御するため、直流電流から交流電流を作るためのインバータが設けられた電子制御基板が備え付けられている。インバータのスイッチング素子等の発熱素子を冷却する必要があり、電子制御基板にはヒートシンクなどの放熱部材が取り付けられている。ヒートシンクは、室外機内部に設けられた送風ファンによって吸い込まれた室外空気に放熱する。
従来、電子基板の向きに対してヒートシンクのベース部が垂直方向に設置され、放熱フィンが互いに放射状に広げて構成されているものがある（例えば、特許文献１）。
【先行技術文献】
【特許文献】
【０００３】
【特許文献１】特開平９−６０９２８号公報（第９頁、図１、図３、図６）
【発明の概要】
【発明が解決しようとする課題】
【０００４】
しかしながら、従来の構成では、ヒートシンクの放熱フィンが基板に直接取り付けられたベース部に設けられているため、送風ファンの近くまでベース部から熱を効率よく伝導することができず、ヒートシンクの放熱性が良くないという問題があった。
【０００５】
この発明は、上記の課題を解決するためになされたもので、ヒートシンクの放熱性が高いヒートポンプ装置の室外機を提供するものである。
【課題を解決するための手段】
【０００６】
この発明に係るヒートポンプ装置の室外機は、室外空気と冷媒が熱交換する熱交換器と
前記熱交換器と対向する位置に設けられ、複数枚のブレードが回転軸を中心に回転する送風ファンと、前記回転軸方向から見て前記送風ファンの外周より外側に設けられた制御基板と、前記制御基板に取り付けられたベース部、前記ベース部から前記送風ファンへ近づく方向に延びる延長部、前記延長部に設けられたフィンを有するヒートシンクと、を備える。
【発明の効果】
【０００７】
この発明のヒートポンプ装置の室外機は、送風ファンに近づく方向へ延びる延長部にフィンを設けたことにより、ヒートシンクの放熱量が大きくすることができるという効果を奏する。
【図面の簡単な説明】
【０００８】
【図１】実施の形態１のヒートポンプ装置の室外機１００の分解斜視図。
【図２】実施の形態１の室外機１００の正面図。
【図３】実施の形態１のヒートシンク１６の正面図。
【図４】実施の形態１の制御基板１４の分解斜視図。
【図５】実施の形態１のヒートシンク１６ａ〜１６ｃの正面図。
【図６】実施の形態１のヒートシンク１６ｄの正面図。
【図７】実施の形態１の送風ファン６とヒートシンク１６の位置関係を示す図。
【図８】実施の形態１のヒートシンク１６ｅ、１６ｆの正面図。
【図９】実施の形態１のヒートシンク１６ｇの正面図。
【図１０】実施の形態２のヒートシンク１６ｈの正面図。
【発明を実施するための形態】
【０００９】
実施の形態１．
図１乃至図４を用いて本実施の形態１のヒートポンプ装置の室外機１００について説明する。
図１は室外機１００の分解斜視図、図２は室外機１００の正面図、図３はヒートシンク１６の正面図、図４は制御基板１４の分解斜視図である。尚、以下の実施の形態において、室外機は空気調和装置の室外機として説明するが、本発明は室外機内部に水と冷媒が熱交換する水冷媒熱交換機を有するヒートポンプ式給湯機の室外機にも適用できる。
【００１０】
まず、図１を用いて室外機１００の構成について説明する。室外機１００は、ベース１、フロントパネル２、バックパネル３及びトップパネル４で側面が開口した略直方体形状の筐体が構成されており、その内部にセパレーター５を備えている。
【００１１】
ベース１は、略直方体形状の板金であって、上に設けられる機器類を支持している。ベース１の下部には設置面に据え付けられる据付脚が複数個取り付けられており、室外機１００の土台となっている。
【００１２】
フロントパネル２は、室外機１００の前面及び一側面を形成している。フロントパネル２の前面には円形の開口が形成されており、側面には複数のスリットが形成されている。送風ファン６が、フロントパネル２の前面に形成された円形の開口と対向した位置に設けられている。送風ファン６は、回転軸を中心として複数枚のブレード６ａが放射状に設けられているプロペラファンである。送風ファン６により、室外機１００の背面及びフロントパネル２の側面のスリットから室外機１００に吸入された室外空気は、フロントパネル２の前面の円形の開口から排出される。
尚、フロントパネル２の前面の開口には、グリル７が取り付けられている。グリル７は、送風ファン６の回転時の安全性確保のため、人の指が挿入できないように、隙間が狭く構成されている。
【００１３】
バックパネル３は、フロントパネル２の側面と反対側の側面を形成している。バックパネル３の側面には、外部電源プラグや冷媒配管がとおる開口が形成されている。また、バックパネル３の側面の背面側の端部は、室外機１００の背面にかけて折れ曲がっている。
尚、バックパネル３には、その開口を覆い、塵埃や水の浸入を防ぐためのサービスカバー８が取り付けられる。サービスカバー８には開口が設けられており、その開口から外部電源と接続したプラグや冷媒配管が挿入される。
【００１４】
トップパネル４は、フロントパネル２及びバックパネル３で形成される上部開口を覆っている。
【００１５】
セパレーター５は、ベース１に固定されて、略垂直方向に配置されたプレートである。セパレーター５は、室外機１００の内部を機械室９と風路室１０の２つの空間に仕切っている。セパレーター５は、フロントパネル２の前面からバックパネル３の背面側端辺にかけて設けられている。
【００１６】
送風ファン６は、風路室１０に設けられている。送風ファン６は、ベース１とトップパネル４に固定された支持部材１１に固定されており、送風ファン６の回転軸は、水平方向であって、室外機１００の高さにおいて略中央に位置している。
【００１７】
機械室９は、ベース１、フロントパネル２、バックパネル３及びセパレーター５で囲まれており、外部から塵埃や水分等ができる限り入らない構成となっている。機械室９には、ベース１に固定された圧縮機１２が設けられている。圧縮機１２は、冷凍サイクルを循環する冷媒を圧縮する。
【００１８】
風路室１０には、送風ファン６と対向する位置に冷媒と室外空気が熱交換する熱交換器１３が設けられている。熱交換器１３は、内部を冷媒が流れる伝熱管及びフィン等で形成されている。熱交換器１３は、フロントパネル２のスリットが設けられた側面の内側から筐体の背面を覆ってセパレーター５の背面側端辺近傍にかけてベース１の周端辺上に立設されている。つまり、熱交換器１３の外観は、全体的に途中でほぼ直角に曲げられた板状体である。
【００１９】
室外空気は、送風ファン６が回転することにより、風路室１０の背面とフロントパネル２の側面のスリットから室外機１００に吸入され、熱交換器１３を通過した後、フロントパネル２の前面の円形の開口から排出される。
【００２０】
図２は、フロントパネル２、バックパネル３及びトップパネル４を取り外した状態の室外機１００の正面図である。機械室９の上部から風路室１０にまたがって、制御基板１４が設けられている。
制御基板１４は、室外機１００の上部であって、トッププレート４の真下に水平に配置されている。制御基板１４は、外部電源から供給される交流電流を直流電流に変換するコンバータ部と、コンバータ部で変換された直流電流を任意の周波数の交流電流に変換するインバータ部を有している。制御基板１４で変換された交流電流は、圧縮機１２及び送風ファン６に供給される。
【００２１】
制御基板１４のコンバータ部やインバータ部は、発熱する発熱素子１５を有している。発熱素子１５とは、ダイオードブリッジまたはスイッチング素子もしくは還流ダイオード等のことである。特に、スイッチング素子は、ＩＧＢＴ（Ｉｎｓｕｌａｔｅｄ  Ｇａｔｅ  Ｂｉｐｏｌａｒ  Ｔｒａｎｓｉｓｔｏｒ）若しくはＭＯＳＦＥＴ（Ｍｅｔａｌ  Ｏｘｉｄｅ  Ｓｅｍｉｃｏｎｄｕｃｔｏｒ  Ｆｅｉｌｄ  Ｅｆｆｅｃｔ  Ｔｒａｎｓｉｓｔｏｒ）、又はＩＧＢＴ、ＭＯＳＦＥＴとそれらの駆動回路と保護回路を内蔵したＩＰＭ（Ｉｎｔｅｌｌｉｇｅｎｔ  Ｐｏｗｅｒ  Ｍｏｄｕｌｅ）などと呼ばれるものである。発熱素子１５は、圧縮機１２及び送風ファン６の回転数を自由に可変することができるインバーターエアコンに欠かせない重要部品であるが、スイッチング時のエネルギー損失に伴って発熱量が多いことが知られている。
発熱素子１５は、制御基板１４の下面側に設けられている。
【００２２】
制御基板１４の発熱素子１５には、ヒートシンク１６が取り付けられている。ヒートシンク１６は、発熱素子１５で生じる熱を外気に放熱している。冷房運転時の室外機１００は、夏場の外気温が高い場所に設置されるので、制御基板１４の周囲空気が高温となり、ヒートシンク１６の放熱量が低下し発熱素子１５の温度が上昇する。すると、発熱素子１５の熱破壊を防止する観点から電流値を下げる制御が行われる。この場合、圧縮機１３の回転数が低下するため冷房運転能力が低下し、使用者から見れば夏場の快適性は損なわれることになる。そこで、ヒートシンク１６の放熱量を上げる必要がある。
【００２３】
図２中に示す矢印は、送風ファン６のブレード６ａの回転方向６ｂを示しており、その回転方向は室外機１００を正面から見て時計回りである。
また、図２中に示す破線の円６ｃは、送風ファン６の回転軸を同心円とするものであり、ヒートシンク１６の先端が円６ｃに接している。さらに、図２に示すように円６ｃの半径は、回転軸からブレード６ａの先端までの距離よりも大きい。このように、制御基板１４及びヒートシンク１６は、室外機１００の正面、すなわち送風ファン６の回転軸方向から見て送風ファン６の外周より外側に配置している。送風ファン６が回転した場合にブレード６ａとヒートシンク１６が接触しないように一定距離を確保して構成されている。
【００２４】
図３は、ヒートシンク１６の詳細部を拡大した正面図である。ヒートシンク１６は、ベース部１７を有しており、ベース部１７が発熱素子１５に熱伝導グリースを介して密着して取り付けられている。ベース部１７から垂直下向きに複数枚の放熱フィン１９が平行に設けられている。
【００２５】
また、ベース部１７は送風ファン６に近い側で、送風ファン６に近づく方向に斜めに折れ曲がっており、ベース部１７から傾斜して折れ曲がったこの部分は、延長ベース部１８（延長部）である。延長ベース部１８は、ベース部１７から送風ファン６の略中心方向に向かって延びている。また、延長ベース部１８の両面には、放射状に複数枚の放熱フィン２０が設けられている。
【００２６】
放熱フィン２０の構成について詳細に説明する。本実施の形態１では、放熱フィン２０は７枚の放熱フィン２０ａ〜２０ｇから構成されている。
放熱フィン２０ａ〜２０ｃは延長ベース部１８の上側の面に設けられており、放熱フィン２０ｅ〜２０ｇは延長ベース部１８の下側の面に設けられている。放熱フィン２０ｄは延長ベース部１８の先端から延長ベース部１８と平行に設けられている。
【００２７】
放熱フィン２０ａは、ベース部１７と延長ベース部１８の境界近傍に設けられている。放熱フィン２０ｂは放熱フィン２０ａよりも延長ベース１８の先端側に設けられており、放熱フィン２０ｃは放熱フィン２０ｂよりもさらに延長ベース１８の先端側に設けられている。放熱フィン２０ａ〜２０ｃの付け根から先端までの長さをそれぞれＬａ、Ｌｂ、Ｌｃとすると、Ｌａ＞Ｌｂ＞Ｌｃとなる。
また同様に、放熱フィン２０ｇは、ベース部１７と延長ベース部１８の境界近傍に設けられている。放熱フィン２０ｆは放熱フィン２０ｇよりも延長ベース１８の先端側に設けられており、放熱フィン２０ｅは放熱フィン２０ｆよりもさらに延長ベース１８の先端側に設けられている。放熱フィン２０ｅ〜２０ｇの付け根から先端までの長さをそれぞれＬｅ、Ｌｆ、Ｌｇとすると、Ｌｇ＞Ｌｆ＞Ｌｅとなる。
【００２８】
図３には、延長ベース部１８の延長方向２１を破線で図示している。放熱フィン２０ａと延長ベース部１８の延長方向２１のなす角を角θａ、放熱フィン２０ｂと延長ベース部１８のなす角を角θｂ、放熱フィン２０ｃと延長ベース部１８のなす角を角θｃ、放熱フィン２０ｅと延長ベース部１８のなす角を角θｅ、放熱フィン２０ｆと延長ベース部１８のなす角を角θｆ、放熱フィン２０ｇと延長ベース部１８のなす角を角θｇ、とすると、それぞれの関係は、角θａ≧角θｂ≧角θｃ及び角θｇ≧角θｆ≧角θｅとなる。
このように、放熱フィン２０ａ〜２０ｇは放射状に設けられており、放熱フィン２０ａ〜２０ｇのそれぞれの隙間は、それらの付け根から先端にかけて広がるように形成されている。
【００２９】
尚、発熱素子１５とヒートシンク１６は、セパレータ５よりも風路室１０側に配置されている構成でも良い。或いは、発熱素子１５のみ機械室９内に配置して、発熱素子１５に取り付けられたベース部１７が機械室９から風路室１０に突出し、延長ベース部１８及び放熱フィン１９、２０は風路室１０に配置されている構成としてもよい。
【００３０】
図４は、制御基板１４の分解斜視図であり、この図４に基づいて制御基板１４及びヒートシンク１６周辺の構成について説明する。
ヒートシンク１６には、水や塵埃の浸入を防ぐためのヒートシンクカバー３０が取り付けられる。また、電子基板１３には発熱素子１５を保護するためのエレクトフレーム３１とエレクトカバー３２で閉じて構成されている。エレクトカバー３２は、エレクトフレーム３１に上から取り付けられる基板側エレクトカバー３２ａと、下から取り付けられるヒートシンク側エレクトカバー３２ｂとから構成されている。
また、ヒートシンク１６が設けられている側とは反対側のエレクトフレーム３１の端部には、端子台３４を支持するための端子台支持台３３が斜めに設けられている。端子台３４は、外部の商用電源と接続した配線が挿入される。
【００３１】
尚、ヒートシンクカバー３０とヒートシンク側エレクトカバー３２ｂは、取り付ける際に放熱フィン２０と接触する場合がある。そのような場合、ヒートシンクカバー３０を２つの部材から構成し、同様にヒートシンク側エレクトカバー３２ｂも２つの部材から構成してもよい。１つの部材を上下方向から取り付け、残りのもう一つの部材を左右方向から取り付けると、放熱フィン２０と接触することなく、ヒートシンクカバー３０とヒートシンク側エレクトカバー３２ｂをエレクトフレーム３１に取り付けることができる。
【００３２】
次に、ヒートシンク１６の放熱について説明する。発熱素子１５で発生した熱は、熱伝導の良いベース部１７で熱伝導によって延長ベース部１８に拡散され、放熱フィン１９、２０に伝導する。放熱フィン１９、２０に伝導した熱は、送風ファン６のブレード６ａが回転することにより生じる風２２（旋回流：回転運動を伴う風）によって空気中に排熱される。尚、本実施の形態１ではブレード６ａは正面から見て時計回りに回転している。
【００３３】
この風２２の円６ｃの接線方向の風速は、ブレード６ａの先端に近いほど大きくなる。よって、放熱フィン１９、２０の放熱量は、送風ファン６のブレード６ａに近いほど上がるので、放熱フィン１９、２０の先端に向かうほど上がる。ゆえに、発熱素子１５で生じる熱は、ベース部１７から延長ベース部１８を通って最短経路で風の強い方向に運ばれる。
【００３４】
特に、放熱フィン１９よりも放熱フィン２０の方が送風ファン６に近いので、放熱フィン２０の放熱能力は放熱フィン１９より大きい。さらに、放熱フィン２０は、延長ベース部１８の両面から放射状に延びている複数枚の放熱フィン２０ａ〜２０ｇを有しており、放熱フィン２０ｄ、２０ｅ、２０ｆはその先端が送風ファン６の回転軸と同心円の円６ｃと接するまでできる限りブレード６ａの近くまで配置しているので、効率よく放熱することができる。
【００３５】
このように、本実施の形態１の室外機１００では、発熱素子１５で生じる熱を空気中に効率良く廃熱することができ、発熱素子１５の温度上昇を抑制することができる。ゆえに、より多くの電流を発熱素子１５に流すことが可能となり、空気調和装置の夏場の冷房能力及び冬場の暖房能力を上げることが可能となる。
【００３６】
尚、ベース部１７及び延長ベース部１８の厚さが大きいほど、ベース部１７から延長ベース部１８への伝熱量は大きくなる。よって、延長ベース部１８とベース部１７の境界近傍における延長ベース部１８の厚さをベース部１７の厚さと略等しくすることにより、ベース部１７から延長ベース部１８に効率よく熱を伝熱することができる。また、ベース部１７及び延長ベース部１８の厚さは、放熱フィン１９、２０の厚さよりも大きいので、ベース部１７及び延長ベース１８から放熱フィン１９、２０に均一に熱を伝導することができ、ヒートシンク１６の放熱能力を高めることができる。
【００３７】
図５には、本実施の形態１のヒートシンク１６の別の形態を図示している。図５（ａ）には延長ベース部１８ａの長さが長いヒートシンク１６ａを図示している。図５（ｂ）には延長ベース部１８ｂが先端に向かって厚さが徐々に小さくなっているヒートシンク１６ｂを図示している。図５（ｃ）には、延長ベース部１８ｃの先端に複数枚の放熱フィンを有するヒートシンク１６ｃを図示している。
【００３８】
図５（ａ）のヒートシンク１６ａは、放熱フィン２０ｄを設けずに延長ベース部１８ａをさらに延長しているので、延長ベース部１８ａを介して熱を送風ファン６により近い位置まで効率よく伝導することができ、放熱フィン２０ａ〜２０ｇ及び延長ベース部１８ａから放熱される熱量を増すことができる。
また、図５（ｂ）のヒートシンク１６ｂは、延長ベース部１８ｂをテーパー状にすることにより、延長ベース部１８ｂの先端まで熱を伝導すると同時に、放熱フィン２０ｄと延長ベース部１８の境界の段差がなくなるので、ヒートシンク１６ｂの加工が容易になる。尚、テーパー状とは、先端にいくにつれて厚さが小さくなる形状のことである。
さらに、図５（ｃ）のヒートシンク１６ｃは、複数枚の放熱フィン２０ｈを延長ベース部１８ｃの先端から放射状に設けたので、送風ファン６のブレード近傍の風速の大きい領域での放熱面積を増すことができ、放熱量を増すことができる。
【００３９】
図６には、本実施の形態１のヒートシンク１６のさらに別の形態を図示している。図６に図示するヒートシンク１６ｄは、延長ベース部１８ｄの上側の面、すなわちブレード６ａの回転方向６ｂと対向する面に複数枚の放熱フィン２３ａ〜２３ｄを有している。放熱フィン２３ａ〜２３ｄは、それぞれが平行に設けられている。延長ベース部１８ｄは円６ｃと接しており、放熱フィン２３ａ〜２３ｄは、延長ベース部１８ｄと円６ｃの接点における円６ｃの接線と略平行に設けられている。
放熱フィン２３ａは、ベース部１７と延長ベース部１８と分岐点側に設けられており、放熱フィン２３ｄは、延長ベース部１８ｄの先端側に設けられている。放熱フィン２３ａ〜２３ｄは、延長ベース部１８ｄの先端に近づくに従って、その長さが大きくなっており、放熱フィン２３ｄの方が放熱フィン２３ａよりも表面積が大きい。
図６のヒートシンク１６ｄでは、延長ベース部１８ｄと円６ｃの接点において送風ファン６のブレード６ａの回転方向と平行、すなわち、延長ベース部１８ｄにおいて旋回流である風２２と略平行に放熱フィン２３ａ〜２３ｄを設けたので、風２２を効率よく放熱フィン２３ａ〜２３ｄの間に取り込むことができ、放熱量を増すことができる。
【００４０】
このように図５、図６で図示したヒートシンク１６ａ〜１６ｄでも、ヒートシンク１６と同様の効果がある。本発明の延長ベース部１８は、一定の形状に特に限定するものではなく、ベース部１７から送風ファン６のブレードの先端近傍まで多量の熱を伝導できるものであればよい。
【００４１】
以上のように、本実施の形態１の室外機１００では、送風ファン６に近づく方向に延びる延長ベース部１８を設け、その延長部ベース部１８に放熱フィン２０を設けたので、送風ファン６のブレード６ａの近くまで熱を伝導することができる。そして、ブレード６ａ近傍の風速が大きい風２２に放熱フィン２０から熱が放熱されるので、ヒートシンク１６の放熱量を増すことができる。よって、制御基板１４に設けられた発熱素子１５を効率よく冷却することができる。
【００４２】
さらに、延長ベース部１８を送風ファン６に近づく方向、特に送風ファン６の中心方向、に延ばして設けたことにより、放熱フィン２０、２２へ向かう熱の伝熱経路を最短にすることができ、放熱フィン２０での放熱量を増すことができるとともに延長ベース部１８を短くできるのでヒートシンク１６を小型化することができる。
【００４３】
なお、上述した構成（図２〜図６）では、延長ベース部１８がベース部１７から送風ファン６の略中心方向に延びた構成について説明した。ここで、送風ファン６の略中心方向について、図７及び図８を用いて、より詳細に説明する。
【００４４】
図７には、送風ファン６のボス部６ｄに上側で接する接線ａと下側で接する接線ｂを図示している。尚、ボス部６ｄは、送風ファン６を回転駆動させる図示しないモータを収納しているケースのことである。接線ａと接線ｂはともにヒートシンク１６のベース部１７と延長ベース部１８の分岐点とボス部６ｄの接点を結んでいる。
ブレード６ａの時計周り方向の回転により生じる風２２の風速は、回転軸から円６ｃの間においてボス部６ｄの外周の前後で大幅に大きくなる。つまり、図７で図示するように送風ファン６をその回転軸方向から見た場合に、ボス部６ｄの外周より内側では風２２はほぼ生じないが、ボス部６ｄの外周より外側では風２２の風速が急激に大きくなる。このように風２２が生じないボス部６ｄを送風ファン６の中心とみなすことができる。
【００４５】
送風ファン６のボス部６ｄを送風ファン６の中心とみなした場合、延長ベース部１８の延びる方向は、接線ａ方向若しくは接線ｂ方向又は接線ａと接線ｂの間の方向へ延びることが考えられる。そこで、図８（ａ）に延長ベース部１８ｅが接線ａ方向に延びた場合を、図８（ｂ）に延長ベース部１８ｆが接線ｂ方向に延びた場合を図示している。
【００４６】
図８（ａ）に示すヒートシンク１６ｅでは、延長ベース部１８ｅの上側の面には２枚の放熱フィン２４ａ、２４ｂが設けられており、その反対側の面である下側の面には４枚の放熱フィン２４ｄ、２４ｅ、２４ｆ、２４ｇが設けられている。放熱フィン２４ａ、２４ｂ及び放熱フィン２４ｄ〜２４ｇは、図３及び図５に図示する放熱フィン２０と同様に、延長ベース部１８ｅから先端にかけて左右に設けられた放熱フィンとに間隔が広がるように放射状に配置されている。
図８（ｂ）に示すヒートシンク１６ｆでは、延長ベース部１８ｆの上側の面には５枚の放熱フィン２５ａ〜２５ｅが設けられており、その反対側の面である下側の面には１枚の放熱フィン２５ｇが設けられている。放熱フィン２５ａ〜２５ｅも同様に延長ベース部１８ｆから先端にかけて左右に設けられた放熱フィンとに間隔が広がるように放射状に配置されている。
尚、延長ベース部１８ｅ、１８ｆの上側の面とは、風２２の上流側に位置する延長ベース部１８ｅ、１８ｆの表面のことである。また、延長ベース部１８ｅ、１８ｆの下側の面とは風２２の下流側に位置する延長ベース部１８ｅ、１８ｆの表面のことである。
【００４７】
このように、延長ベース部１８ｅが送風ファン６の回転軸より上側に延びている場合は、上側の面より下側の面に放熱フィンを多く配置し、延長ベース部１８ｆが送風ファン６の回転軸より下側の延びている場合は、下側の面より上側の面に放熱フィンを多く配置する構成にすることによって、送風ファン６によって生じる風２２を効率よく放熱フィン２４ａ〜２４ｇ、２５ａ〜２５ｇ同士の隙間に取り込むことができるとともに放熱面積を増やすことできる。よって、ヒートシンク１６ｅ、１６ｆの放熱性を向上させることができる。
【００４８】
尚、図８（ａ）、図８（ｂ）では、放熱フィン２４ａ、２４ｂ及び放熱フィン２５ａ〜２５ｅを放射状に配置した構成を図示しているが、これら放熱フィンは図６と同様に、延長ベース部１８ｅ、１８ｆと円６ｃの接点における円６ｃの接線と略平行に設けてもよい。
【００４９】
図３、図５、図６、図８を用いて上述したヒートシンク１６、１６ａ〜１６ｆでは、延長ベース部１８、１８ａ〜１８ｆに設けられた放熱フィンが平坦な板状の構成であったが、放熱フィンの形状を工夫することによって、さらにヒートシンク１６の放熱性を高めることも可能である。ここでは、放熱フィンの形状を工夫して風２２を放熱フィン２０同士の間隙に取り込み易くした構成のヒートシンク１６ｇについて説明する。
図９に図示するヒートシンク１６ｇは、延長ベース部１８ｇの表面に６枚の放熱フィン２６ａ〜２６ｇが設けられている。放熱フィン２６ａ〜２６ｇは、図３に図示する放熱フィン２０ａ〜２０ｇと同様に、延長ベース部１８ｇから放射状に設けられている。つまり、放熱フィン２０ａ〜２０ｇはその付け根から先端にかけて隣接する放熱フィンとの隙間が大きくなっている。
ベース部１７と平行に設けられている放熱フィン２６ａは平坦であるが、残りの放熱フィン２６ｂ〜２６ｇは、それぞれの先端がブレード６ａが迫ってくる方向へ屈曲している。つまり、時計回りに回転するブレード６ａに対して、放熱フィン２６ｂ〜２６ｇの先端も時計回りに曲がっている。言い換えると、放熱フィン２６ｂ〜２６ｇの先端は、ブレード６ａの回転方向と逆方向に曲がっており、風２２の上流方向へ向けて曲がっている。また同様に、ベース部１７に設けられた放熱フィン１９ａも同様に風２２の上流方向へ向けて曲がっている。放熱フィン１９ａは、ベース部１７の最も延長ベース部１８ｇ寄りに設けられている。
このように、放熱フィン２６ｂ〜２６ｇの先端を曲げることによって、ブレード６ａから発生した旋回流である風２２は、放熱フィン２６ｂ〜２６ｇの先端で引っかかり、図中の破線矢印２２ａで示すように放熱フィン２６ｂ〜２６ｇに沿って延長ベース部１８ｇの内部に向かって導かれる。よって、風２２を効率よく放熱フィン２６ａ〜２６ｇの間に取り込むことができ、ヒートシンク１６ｇの放熱性を高めることができる。
【００５０】
実施の形態２．
実施の形態１では、ベース部１７のブレード６ａに近い方の端部から延長ベース部１８が送風ファン６に近づく方向へ延びる構成のヒートシンク１６、１６ａ〜１６ｇについて説明したが、本実施の形態２では、ベース部の途中から延長ベース部１８が延びている構成のヒートシンク１６ｈについて説明する。尚、実施の形態１と同一の構成部分には同一の符号を付し、説明は省略する。
【００５１】
図１０に図示するヒートシンク１６ｈは、制御基板１４に設けられた発熱素子１５にヒートシンク１６ｈのベース部１７ａが取り付けられている。ベース部１７ａの送風ファン６側の端部からはベース部１７ｂ及び延長ベース部１８ｈが延びている。ベース部１７ｂはベース部１７ａと平行に配置しており、延長ベース部１８ｈは送風ファン６に近づく方向にベース部１７ａから斜め左下に延びている。
ベース部１７ｂには、放熱フィン２８ａが設けられており、延長ベース部１８ｈの風２２に対して風上側の表面には放熱フィン２８ｂが設けられており、風下側の表面には放熱フィン２８ｄ〜２８ｆが設けられている。延長ベース部１８ｈの先端には放熱フィン２８ｃが設けられている。尚、図示するように放熱フィン２８ｄ〜２８ｆは延長ベース部１８ｈの先端から付け根にかけて順に設けられている。
さらに、ベース部１７ａにも６枚の放熱フィン２９ａ〜２９ｆが設けられている。放熱フィン２９ａ〜２９ｆは、延長ベース部１８ｈの近傍から延長ベース部１８ｈが設けられている方の反対側の端部、すなわちセパレータ５側の端部にかけて順にそれぞれ設けられている。
【００５２】
これらの放熱フィン２８ａ〜２８ｆ、２９ａ〜２９ｆは、平坦であったり、緩やかにカーブしていたり、その先端が曲がっていたりする。具体的には、延長ベース部１８ｈに対して風２２の風上側に位置する放熱フィン２８ａ、２８ｂは、時計回りのブレード６ａに対して時計回りに緩やかに傾斜している。また、放熱フィン２８ｂより風下側にある放熱フィン２８ｃ〜２８ｆはその先端が実施の形態１の図８の放熱フィン２６ｄ〜２６ｇと同様に、放熱フィン２８ｃ〜２８ｆの先端は、ブレード６ａの回転方向に対して逆方向に曲がっている。さらに、放熱フィン２９ｂ、２９ｃもその先端がブレード６ａの回転方向に対して逆方向に曲がっている。つまり、放熱フィン２８ｃ〜２８ｆ、２９ｂ、２９ｃの先端は時計回りに曲がっている。対して、放熱フィン２９ｄ、２９ｅはその先端がブレード６ａの回転方向に曲がっている。つまり、放熱フィン２９ｄ、２９ｅはその先端が反時計回りに曲がっている。放熱フィン２９ａ、２９ｆは平坦である。
放熱フィン２８ｆと放熱フィン２９ｂの間に設けられている放熱フィン２９ａは、その長さが放熱フィン２８ｆ、２９ｂよりも短いので、放熱フィン２８ｆと放熱フィン２９ｂの間に開口が大きく形成されている。また、放熱フィン２９ｃはその先端が時計回りに曲がっているのに対して、放熱フィン２９ｄはその先端が反時計回りに曲がっているので、放熱フィン２９ｃと放熱フィン２９ｄの間に開口が大きく形成されている。さらに、放熱フィン２９ｆの長さは放熱フィン２９ｅの長さよりも短いので、放熱フィン２９ｅと放熱フィン２９ｆの開口が大きく形成されている。
【００５３】
このように、本実施の形態２のヒートシンク１６ｈでは、ベース部１７ａの端部にベース部１７ｂをさらに設け、そこに放熱フィン２８ａを設けることによって、放熱フィンの枚数を増やすことができ、放熱量を増すことができる。
また、放熱フィン２８ａ〜２８ｆを緩やかにカーブさせることによって、表面積を増やし、放熱量を増すことができる。
また、延長ベース部１８ｈの下側の面に設けられた放熱フィン２８ｄ〜２８ｆの先端を風２２の風上方向へ曲げたことによって、風２２を効率よく放熱フィン２８ｄ〜２８ｆの間に取り込むことができ、放熱量を増すことができる。
また、放熱フィン２９ａ、２９ｆの長さをその左右に設けた放熱フィンの２８ｆ、２９ｂ、２９ｅよりも短くすることによって、放熱フィン２８ｆと放熱フィン２９ｂで形成される開口、放熱フィン２９ｅと放熱フィン２９ｆで形成される開口を大きくすることができ、風２２を効率よくこれらの開口から取り込むことができるので、放熱量を高めることができる。特に、ヒートシンク１６ｈは、セパレータ５と送風ファン６の間に配置されているので、風２２がセパレータ５に衝突して生じる上昇気流を放熱フィン２９ｅと放熱フィン２９ｆで形成される開口から効率よく取り込むことができる。
【００５４】
尚、本発明のヒートシンク１６、１６ａ〜１６ｇは従来のヒートシンクに比べて複雑な形状をしているので、その加工が困難になるが、アルミ等の金属材料を溶かして押し出し成形すると、容易に製造することができ、量産性を高めることができる。
また、施の形態１，２では、様々な形状の延長ベース部、放熱フィンについてしたが、用途に応じてこれらを組み合わせて使用してもよい。
【産業上の利用可能性】
【００５５】
本発明は、エアコンまたはルームエアコンとも呼ばれる空気調和装置の室外機、あるいは、ヒートポンプ式給湯機の室外機などのヒートポンプ装置の室外機に利用することができる。
【符号の説明】
【００５６】
１  ベース、
２  フロントパネル、
３  バックパネル、
４  トップパネル、
５  セパレータ、
６  送風ファン、
６ａ  ブレード、
６ｂ  回転方向、
６ｃ  円、
６ｄ  ボス部、
７  グリル、
７ａ  回転方向、
７ｂ  風、
８  サービスカバー、
９  機械室、
１０  風路室、
１１  支持部材、
１２  圧縮機、
１３  熱交換器、
１４  制御基板、
１５  発熱素子、
１６  ヒートシンク、
１７  ベース部、
１８  延長ベース部、
１９、２０  放熱フィン、
２１  延長方向、
２２  風、
３０  ヒートシンクカバー、
３１  エレクトフレーム、
３２  エレクトカバー、
３２ａ  基板側エレクトカバー、
３２ｂ  ヒートシンク側エレクトカバー、
３３  端子台支持台、
３４  端子台。
【図１】
0005482727.tif 000002
【図２】
0005482727.tif 000003
【図３】
0005482727.tif 000004
【図４】
0005482727.tif 000005
【図５】
0005482727.tif 000006
【図６】
0005482727.tif 000007
【図７】
0005482727.tif 000008
【図８】
0005482727.tif 000009
【図９】
0005482727.tif 000010
【図１０】
0005482727.tif 000011